(57)【要約】【課題】目的の画像を目的のグループに分かり易い操作で登録することを可能とした再生装置を提供する。【解決手段】この発明の再生装置は、タッチパネル付画像表示装置を備えており、その表示部の上段部に登録する候補となる撮像画像をスクロール自在に表示し、下段部に、登録先の候補となるアルバムをスクロール自在に表示する。そして、上段部に表示された撮像画像を下段部に表示されたアルバムに移動させるように、その軌跡が撮影画像からアルバムに至る線分を描くようなタッチパネル操作が行われると、再生装置１は、上段部の撮影画像を下段部のアルバムに登録する処理を実行する。【選択図】      図９
2006042171.tif 000002
【特許請求の範囲】
【請求項１】
撮像手段と、
前記撮像手段により撮像された画像を記録する記録手段と、
前記記録手段に記録された画像中の任意の画像の組み合わせで構成されるグループをアルバムとして管理するアルバム管理手段と、
前記撮像手段により撮像される画像を登録するアルバムを撮像条件の１つとして予め設定する設定手段と
を具備することを特徴とするカメラ。
【請求項２】
表示手段と、
画像を記録する記録手段と、
前記記録手段に記録された画像中の任意の画像の組み合わせで構成されるグループをアルバムとして管理するアルバム管理手段と、
前記記録手段に記録された画像を前記アルバム管理手段により管理されたアルバムに登録するアルバム登録手段と
を具備し、
前記アルバム登録手段は、
前記記録手段に記録された各画像を選択肢として前記表示手段の第１の表示領域に表示すると共に、指示に応じて、表示する画像を前記第１の表示領域内でスクロールさせるように切り換える第１の表示制御手段と、
前記アルバム管理手段により管理されたアルバムを示す各アイコン画像を選択肢として前記表示手段の第２の表示領域に表示すると共に、指示に応じて、表示するアイコン画像を前記第２の表示領域内でスクロールさせるように切り換える第２の表示制御手段と、
前記第１の表示領域に表示中の画像を前記第２の表示領域に表示中のアイコン画像で示されるアルバムに登録する旨の指示を入力する入力手段と
を有することを特徴とする再生装置。
【請求項３】
前記表示手段上に設けられるタッチパネルを具備し、
前記アルバム登録手段の入力手段は、その軌跡が前記第１の表示領域に表示中の画像から前記第２の表示領域に表示中のアイコン画像に至る線分を描く前記タッチパネル上での摺動動作が行われた場合、前記登録指示が入力されたものと判定することを特徴とする請求項２記載の再生装置。
【請求項４】
前記アルバム登録手段の第１の表示制御手段は、前記第１の表示領域に選択肢として表示させる対象として、全画像または指定されたアルバムに登録された画像のいずれかを選択する選択手段を有することを特徴とする請求項２記載の再生装置。
【請求項５】
前記アルバム登録手段の第２の表示制御手段は、前記アルバムを示す各アイコン画像の中に、各々のアルバムの代表画像を含ませることを特徴とする請求項２記載の再生装置。
【請求項６】
前記アルバム登録手段の第２の表示制御手段は、前記アルバムを示す各アイコン画像の中に、積み上げた写真の厚みで各々のアルバムに登録された画像数を表した図形を含ませることを特徴とする請求項２記載の再生装置。
【請求項７】
撮像手段と、前記撮像手段により撮像された画像を記録する記録手段と、前記記録手段に記録された画像中の任意の画像の組み合わせで構成されるグループをアルバムとして管理するアルバム管理手段とを具備するカメラのアルバム登録方法であって、
前記撮像手段により撮像される画像を登録するアルバムを撮像条件の１つとして予め設定し、
前記撮像手段により撮像された画像を前記設定したアルバムに登録する
ことを特徴とするカメラのアルバム登録方法。
【請求項８】
表示手段と、画像を記録する記録手段と、前記記録手段に記録された画像中の任意の画像の組み合わせで構成されるグループをアルバムとして管理するアルバム管理手段とを具備する再生装置のアルバム登録方法であって、
前記記録手段に記録された各画像を選択肢として前記表示手段の第１の表示領域に表示すると共に、指示に応じて、表示する画像を前記第１の表示領域内でスクロールさせるように切り換え、
前記アルバム管理手段により管理されたアルバムを示す各アイコン画像を選択肢として前記表示手段の第２の表示領域に表示すると共に、指示に応じて、表示するアイコン画像を前記第２の表示領域内でスクロールさせるように切り換え、
指示に応じて、前記第１の表示領域に表示中の画像を前記第２の表示領域に表示中のアイコン画像で示されるアルバムに登録する
ことを特徴とする再生装置のアルバム登録方法。
【発明の詳細な説明】
【技術分野】
【０００１】
この発明は、例えば撮像画像をグループ毎に分類整理するためのユーザインタフェース技術に関する。
【背景技術】
【０００２】
近年、被写体像をイメージセンサ上に結像して電気信号に変換し、これから得られる画像データをコンピュータ読み取り可能な記録媒体に記録する、いわゆるデジタルカメラが広く普及している。また、半導体メモリの大容量化および低価格化が進んでおり、デジタルカメラでも大容量の半導体メモリが使用されるようになってきている。これに伴い、１つの記録媒体に記録可能な画像数は増加の一途を辿っており、画像をクループ毎に分類整理するための手法が種々提案されている（例えば特許文献１等参照）。
【特許文献１】特開２００３−２９９０２８号公報
【発明の開示】
【発明が解決しようとする課題】
【０００３】
ところで、この特許文献１に記載の手法では、各々の撮影日時によって自動的にグループ化が行われるが、ユーザが、任意の画像を任意のグループに属させるべく分類整理することは考慮されていない。
【０００４】
撮影日時による分類整理も確かに有効ではあるが、撮影日時に関わらず、被写体像の内容別に分類整理したいという要望も強い。しかしながら、ある撮像画像を目的のグループに登録するための操作は、これまで簡単には行うことができなかった。
【０００５】
この発明は、このような事情を考慮してなされたものであり、目的の画像を目的のグループに分かり易い操作で登録することを可能としたカメラ、再生装置およびアルバム登録方法を提供することを目的とする。
【課題を解決するための手段】
【０００６】
前述した目的を達成するために、この発明のカメラは、撮像手段と、前記撮像手段により撮像された画像を記録する記録手段と、前記記録手段に記録された画像中の任意の画像の組み合わせで構成されるグループをアルバムとして管理するアルバム管理手段と、前記撮像手段により撮像される画像を登録するアルバムを撮像条件の１つとして予め設定する設定手段とを具備することを特徴とする。
【０００７】
また、この発明の再生装置は、表示手段と、画像を記録する記録手段と、前記記録手段に記録された画像中の任意の画像の組み合わせで構成されるグループをアルバムとして管理するアルバム管理手段と、前記記録手段に記録された画像を前記アルバム管理手段により管理されたアルバムに登録するアルバム登録手段とを具備し、前記アルバム登録手段は、前記記録手段に記録された各画像を選択肢として前記表示手段の第１の表示領域に表示すると共に、指示に応じて、表示する画像を前記第１の表示領域内でスクロールさせるように切り換える第１の表示制御手段と、前記アルバム管理手段により管理されたアルバムを示す各アイコン画像を選択肢として前記表示手段の第２の表示領域に表示すると共に、指示に応じて、表示するアイコン画像を前記第２の表示領域内でスクロールさせるように切り換える第２の表示制御手段と、前記第１の表示領域に表示中の画像を前記第２の表示領域に表示中のアイコン画像で示されるアルバムに登録する旨の指示を入力する入力手段とを有することを特徴とする。
【０００８】
また、この発明のカメラのアルバム登録方法は、撮像手段と、前記撮像手段により撮像された画像を記録する記録手段と、前記記録手段に記録された画像中の任意の画像の組み合わせで構成されるグループをアルバムとして管理するアルバム管理手段とを具備するカメラのアルバム登録方法であって、前記撮像手段により撮像される画像を登録するアルバムを撮像条件の１つとして予め設定し、前記撮像手段により撮像された画像を前記設定したアルバムに登録することを特徴とする。
【０００９】
また、この発明の再生装置のアルバム登録方法は、表示手段と、画像を記録する記録手段と、前記記録手段に記録された画像中の任意の画像の組み合わせで構成されるグループをアルバムとして管理するアルバム管理手段とを具備する再生装置のアルバム登録方法であって、前記記録手段に記録された各画像を選択肢として前記表示手段の第１の表示領域に表示すると共に、指示に応じて、表示する画像を前記第１の表示領域内でスクロールさせるように切り換え、前記アルバム管理手段により管理されたアルバムを示す各アイコン画像を選択肢として前記表示手段の第２の表示領域に表示すると共に、指示に応じて、表示するアイコン画像を前記第２の表示領域内でスクロールさせるように切り換え、指示に応じて、前記第１の表示領域に表示中の画像を前記第２の表示領域に表示中のアイコン画像で示されるアルバムに登録することを特徴とする。
【発明の効果】
【００１０】
この発明によれば、目的の画像を目的のグループに分かり易い操作で登録することを可能としたカメラ、再生装置およびアルバム登録方法を提供することができる。
【発明を実施するための最良の形態】
【００１１】
以下、図面を参照してこの発明の一実施形態について説明する。
【００１２】
図１は、本実施形態に係る再生装置の外観図である。この再生装置１は、カメラ付のオーディオプレーヤであり、その筐体正面には、図１（ａ）に示すように、被写体からの被写体光を取り込むための撮影窓１０１と、被写体に向けて補助光を照射するための照明窓１０２が設けられる。
【００１３】
また、この再生装置１の筐体背面には、図１（ｂ）に示すように、タッチパネル付画像表示装置１５が配置される。再生装置１の動作モードが撮影モードにある場合、その表示面には被写体像がいわゆるスルー画として表示され、タッチパネルの任意の検出領域に触れる（接触動作）と、その動作がいわゆるレリーズ指示として認識されて撮影処理が実行される。動作モードが画像再生モードにある場合には、その表示面には例えば１枚の撮影画像が表示され、タッチパネル上での所定の動作に応じて、表示対象の撮影画像を切り換え制御する。また、この再生装置１は、撮影画像をグループ毎に分類整理するためのアルバム管理モードが設けられており、動作モードがこのアルバムモードにある場合、その表示面には分類整理用の画面が表示される。この再生装置１は、タッチパネル上での簡単な操作で任意の撮影画像を任意のグループに登録できるようにしたものであり、この点については後に詳述する。
【００１４】
さらに、この再生装置１の筐体上面には、図１（ｃ）に示すように、電源をオン／オフするための電源ボタン１０３が設けられる。
【００１５】
図２は、本実施形態の再生装置１の機器構成図である。
【００１６】
この再生装置１は、ＣＰＵ１１によって装置全体の制御が司られており、その制御手順を記述した各種プログラムがＲＯＭ１２に格納されている。図１（ａ）に示した撮影窓１０１には、カメラ装置１３のレンズ１３１が設けられ、このレンズ１３１を通過した被写体光は、撮像素子１３２に入射して、その撮像面上に被写体像を結像する。
【００１７】
撮像素子１３２は、光電変換を行なう複数の画素を２次元のマトリクス状に配列して撮像面を構成し、さらに撮像面にカラーフィルタを配置したものであり、撮像面に結像された被写体像に対応した信号電荷を蓄積する。撮像素子１３２は、露光や読み出しなどの各種制御が撮像部１３３によって行われ、その出力は、撮像部１３３でデジタル信号に変換された後、システムバス経由で画像処理部１４に画像信号として入力される。また、撮像部１３３は、ストロボ１３４の発光制御も行っており、ストロボ１３４で発光された補助光は、図１（ａ）に示した照明窓１０２を通過して被写体を照明する。
【００１８】
カメラ装置１３からの画像信号をシステムバス経由で受け取った画像処理部１４は、その画像信号に対して、ＩＳＯ感度設定、オートホワイトバランス、輝度／色信号生成、ガンマ処理等を施すことにより、所定フォーマットのカラー画像信号を生成する。このカラー画像信号は、表示出力に適した形態に変換されてタッチパネル付画像表示装置１５に供給され、スルー画として画像表示部１５１にリアルタイムに表示されると共に、記録に適した形態に変換（圧縮符号化）されてシステムバス経由でハードディスク１６に撮像画像として記録される。
【００１９】
スルー画が画像表示部１５１にリアルタイム表示されるタッチパネル付画像表示装置１５のタッチパネル１５２は、その状態が検出部１７によって監視され、何らかのタッチパネル操作が行われると、タッチされた位置が検出部１７で検出されてその位置情報がＣＰＵ１１に通知される。例えば、前述のレリーズ操作に相当する任意の位置でのタッチを検出部１７から通知されると、ＣＰＵ１１は、画像表示部１５１にスルー画として表示中の画像をハードディスク１６に記録すべく装置全体を制御する。また、この検出部１７からの通知のほか、ＣＰＵ１１は、図１（ｃ）に示した電源ボタン１０３を含む操作部１８からの制御信号に応じて、電源のオン／オフなどの装置全体の制御を実行する。
【００２０】
以上のようにハードディスク１６に記録された撮像画像は、画像再生モード時に読み出され、画像処理部１４によって伸長復号化が施されてタッチパネル付画像表示装置１５の画像表示部１５１に表示される。そして、この画像表示部１５１に表示させる撮像画像の切り換えは、検出部１７からＣＰＵ１１への通知、つまりタッチパネル付画像表示装置１５のタッチパネル１５２上での操作によって実行される。
【００２１】
また、この再生装置１は、クレードルなどと称されるスタンド装置２に取り外し自在に装着することができ、スタンド装置２に装着されると、筐体周壁に設けられたコネクタ１０４がスタンド装置２側のコネクタ２０１と嵌合し、双方が電気的に接続されるようになっている。このスタンド装置２には、ＵＳＢ端子２０２、ビデオ出力端子２０３、ＤＣ入力端子２０４が設けられ、ＵＳＢ端子２０２にはパーソナルコンピュータ（ＰＣ）３、ビデオ出力端子２０３にはテレビジョン装置（ＴＶ）４、ＤＣ入力端子２０４にはＡＣアダプタ５をそれぞれ接続することができる。
【００２２】
ＵＳＢ端子２０２は、コネクタ２０１，１０４経由で再生装置１のインタフェース（ＩＦ）部１９と繋がれ、再生装置１は、このＩＦ部１９の制御の下、ＰＣ３との間で通信を行うことが可能となる。例えば、ハードディスク１６に記録された撮像画像をＰＣ３に転送したり、ＰＣ３から圧縮符号化された音楽データを受信してハードディスク１６に記録することができる。再生装置１は、動作モードとして音楽再生モードを有し、この音楽再生モード時、音声処理部２０は、ハードディスク１６から音楽データを読み出し、伸長復号化およびアナログ化を施して音声出力端子１０５に出力する。ユーザは、ヘッドフォン等を音声出力端子１０５に接続することにより、この音楽を視聴することができる。
【００２３】
また、ビデオ出力端子２０３は、コネクタ２０１，１０４経由で再生装置１の画像処理部１４と繋がれる。画像処理部１４は、ＣＰＵからの通知に応じて、タッチパネル付画像表示装置１５の画像表示部１５１に対するカラー画像信号の供給に代えて、ＴＶ４に対するカラー画像信号の供給を実行する。この際、画像処理部１４は、カラー画像信号を、ＴＶ４での表示出力に適した形態（ＮＴＳＣ）に変換する。
【００２４】
さらに、ＤＣ入力端子２０４は、コネクタ２０１，１０４経由で再生装置１の電源回路２１と繋がれる。電源回路２１は、スタンド装置２を介してＡＣアダプタ５が接続されたことを検知すると、電源をバッテリ２２からＡＣアダプタ５に切り換えると共に、ＡＣアダプタ５からの電力によってバッテリ２２を充電制御する。
【００２５】
図３は、この再生装置１が提示するメニューおよびこのメニューによって形成される再生装置１の主要な状態の階層関係を示す図である。
【００２６】
図３に示すように、再生装置１は、まず、写真メニューａ１、音楽メニューａ２、リミックス（音楽画像）メニューａ３の３つの項目を選択肢として提示する。なお、この再生装置１のＣＰＵ１１は、電源ボタン１０３により電源がオフされた際の状態を保持すると共に、電源ボタン１０３により電源がオンされた際、その保持した状態を復元するいわゆるサスペンド／レジューム機能を有している。従って、電源オン時には、通常は、前回の電源オフ時の画面が提示されることになる。
【００２７】
写真メニューａ１は、画像の撮像、撮像画像の再生、撮像画像の整理を行う際に選択されるメニューである。音楽メニューａ２は、音楽の再生、音楽の検索の際に選択されるメニューである。リミックス（音楽画像）メニューａ３は、特殊な映像効果で再生される画像と共に音楽を再生したり、音楽、画像および映像効果の組み合わせを設定（リミックスの作成）する際に選択されるメニューである。なお、これらのメニューの選択は、タッチパネル付画像表示装置１５の画像表示部１５１上の表示領域に触れるように各々に対応するタッチパネル１５２上の検出領域に触れることにより行われる。以下、撮像画像をグループ毎に分類整理するためのタッチパネル操作に関わる写真メニューａ１が選択された場合について説明する。
【００２８】
写真メニューａ１が選択されると、再生装置１は、今度は、撮影モードａ１１、画像再生モードａ１２、アルバム管理モードａ１３のいずれかに移行するためのメニューを提示する。撮影モードａ１１は、画像を撮像するためのモード、画像再生モードａ１２は、画像を再生するためのモード、アルバム管理モードａ１３は、撮像画像をいわゆるフォルダに分類整理するためのモードである。そして、撮影モードａ１１が選択されると、再生装置１は、被写体像を撮像する撮像処理を実行する。
【００２９】
図４は、撮影モード時におけるタッチパネル付画像表示装置１５の画像表示部１５１の表示例を示す図であり、被写体像がスルー画としてリアルタイム表示される。また、その右下部には、各種撮像条件を設定する設定画面を表示させるためのオブジェクトｂ１が表示される。そして、このオブジェクトｂ１の表示領域に触れる、つまり対応するタッチパネル１５２上の検出領域に触れると、画像表示部１５１の表示は、図５に示す各種撮像条件設定用の設定画面に移行する。
【００３０】
この各種撮像条件設定用の設定画面において、ユーザは、撮影した画像をどのグループに登録するかを事前に設定することができる（保存先アルバム設定）。ここでは、このグループをアルバムと称している。なお、このアルバムの作成方法については、どのような方法が採用されていても構わない。「Ｆｌｏｗｅｒ」の下の「４５ｓｈｅｅｔｓ」は、当該アルバムの既登録画像数が４５枚であることを示し、その右横の画像は、代表画像のサムネイル画像である。また、そのサムネイル画像は、大体の量を感覚的に把握させるために、既登録枚数に応じて写真が積み上げられた図形を表示する。
【００３１】
この「保存先アルバム設定」欄には、既存のアルバムが選択肢として表示される。図５の例では、「Ｆｌｏｗｅｒ」という名前のアルバムが選択された状態にある（アイコンとしてオブジェクトｃ１が表示される）。また、このアルバムを示すオブジェクトの左右には、次のアルバムに切り換えるためのオブジェクトｃ２と、前のアルバムに戻すためのオブジェクトｃ３とが表示されるので、ユーザは、このオブジェクトｃ２，ｃ３に触れることにより、いわゆるスクロールを行って、目的のアルバムを選択することができる。
【００３２】
目的のアルバムが示されたオブジェクトｃ１に触れると、その選択が確定され、画像表示部１５１の表示はスルー画に復帰する。図６は、撮影した画像の登録先とするアルバムを設定した後のスルー画表示を示す図であり、図６に示すように、左下に、登録先のアルバム名が表示される（オブジェクトｄ１）。そして、この状態でレリーズ操作がなされると、撮像画像がハードディスク１６に格納されるのと同時に、そのアルバムへの登録が行われる。つまり、この再生装置１は、第１に、撮影時に、撮影画像を目的のアルバムに登録するための設定を行うことを可能とする。
【００３３】
ここで、図２０を参照して、この再生装置１が実行する撮影時でのアルバム登録の動作原理について説明する。
【００３４】
写真メニューａ１を選択するタッチパネル操作を検出すると、ＣＰＵ１１は、再生装置１を写真メニューａ１に設定する（ステップＤ１）。また、写真メニューａ１設定後、撮影モードａ１１を選択するタッチパネル操作をさらに検出すると、ＣＰＵ１１は、再生装置１を撮影モードａ１１に設定する（ステップＤ２）。
【００３５】
撮影モードａ１１設定時、ＣＰＵ１１は、画像表示部１５１にスルー画を表示し、この状態で撮影条件設定画面を開くためのタッチパネル操作をさらに検出すると、撮影条件設定画面を表示する（ステップＤ３）。ＣＰＵ１１は、この撮影条件設定画面上に各アルバムを示すオブジェクトを表示し、スクロール指示に応じて、そのアルバムのオブジェクトを順方向または逆方向に切り換える。そして、いずれかのアルバムを選択するタッチパネル操作が行われると、ＣＰＵ１１は、その選択されたアルバムを撮影画像を格納するアルバムとして確定する（ステップＤ４）。
【００３６】
アルバムの確定が行われると、ＣＰＵ１１は、アルバム名を所定の領域に付帯させたスルー画を表示し（ステップＤ５）、レリーズ操作が行われるのを待機する。そして、レリーズ操作が行われると（ステップＤ６）、ＣＰＵ１１は、所定の撮影処理を実行制御して撮影画像をハードディスク１６に記録すると共に（ステップＤ７）、この撮影画像をステップＤ４で確定したアルバムに追加登録する（ステップＤ８）。
【００３７】
図７は、撮影画像およびアルバムを管理するためのハードディスク１６の格納フォーマットの一例を示す図である。
【００３８】
「ＤＣＩＭ」は、ハードディスク１６のルートディレクトリであり、この下段に、「１００ＰＨＯＴＯ」や「１０１ＰＨＯＴＯ」などの撮影画像を管理するためのディレクトリが必要に応じて作成される。例えば、各ディレクトリへの撮影画像の格納数を最大１００枚とし、これを越える毎に新たなディレクトリを作成する。また、同じく「ＤＣＩＭ」の下段には、アルバムを管理するための「１００ＡＬＢＡＭ」などのディレクトリが必要に応じて作成される。この「１００ＡＬＢＡＭ」の中に格納される「ＡＬＬＩＳＴ０１．ｔｘｔ」や「ＡＬＬＩＳＴ０２．ｔｘｔ」は、各アルバムを管理するためのテキストファイルであり、アルバム名のほか、登録された全撮影画像それぞれのパス（“ＤＣＩＭ￥１００ＰＨＯＴＯ￥Ｐ１００００１．ｊｐｇ”等）がテキストで記述される。
【００３９】
また、この撮影時における設定のほか、この再生装置１では、第２に、既に撮影済みの画像を簡単な操作で目的のアルバムに登録することを可能とする。この操作を行うために設けられた動作モードがアルバム管理モードａ１３である。
【００４０】
このアルバム管理モードａ１３が選択されると、まず、目的の撮影画像を選択するための画面が表示される。図８は、この時に表示される選択画像を示す図である。図８に示すように、この選択画面では、「上段表示画像」として、「ＡＬＬ」、「お気に入り」および「アルバム」が選択肢として表示される。「ＡＬＬ」は、すべての撮影画像を登録処理の候補とするものであり、「お気に入り」は、システムとして固定的に設けられるアルバム内の撮影画像を登録処理の候補とするものであり、「アルバム」は、ユーザが任意に設けたアルバム内の撮影画像を登録処理の候補とするものである。ここでは、「アルバム」が選択され、図５で示した操作と同様の操作で「Ｓｈｏｅｓ」という名前のアルバムの選択および確定が行われたものとする。そうすると、この「Ｓｈｏｅｓ」という名前のアルバムに登録された撮影画像がハードディスク１６から読み出され、図９に示すように、アルバム登録画面の上段部（第１の表示領域）に選択肢として表示される。
【００４１】
また、このアルバム登録画面の下段部（第２の表示領域）には、登録先の候補となるアルバムが選択肢として表示される。つまり、上段部には撮影画像の候補、下段部にはアルバムの候補が表示されることになる。ユーザは、上段部および下段部のそれぞれでスクロール操作を行うことにより、目的の撮影画像およびアルバムを選択する。そして、ユーザは、上段部の撮影画像を下段部のアルバムに移動させるように、その軌跡が撮影画像からアルバムに至る線分を描くようなタッチパネル操作（操作Ｙ）を行う。この操作を受けると、再生装置１は、上段部の撮影画像を下段部のアルバムに登録する処理を実行する。図９の例では、「Ｓｈｏｅｓ」という名前のアルバムに登録された１枚の画像が、さらに「Ｆｌｏｗｅｒ」という名前のアルバムにも登録されることになる。どのアルバムにも登録されていない撮影画像を目的のアルバムに登録する場合には、図８に示した選択画面で、上段部に候補として表示させる画像群を「ＡＬＬ」に設定すれば良い。このように、この再生装置１は、第２に、既に撮影済みの画像を簡単な操作で目的のアルバムに登録することを可能とする。
【００４２】
ここで、図１０乃至図１２のフローチャートを参照して、この再生装置１のアルバム管理モードでの動作原理について説明する。図１０には、アルバム管理モードにおける基本フローが示されている。
【００４３】
アルバム管理モード時、ＣＰＵ１１は、図１１にその流れを示す上段表示画像設定処理を実行制御する（ステップＡ１）。そして、この上段表示画像設定処理の後、ＣＰＵ１１は、保存先アルバムの選択を行う（ステップＡ２）。そして、ＣＰＵ１１は、図１２にその流れを示す画像整理処理を実行制御する（ステップＡ３）。
【００４４】
上段表示画像設定処理において、ＣＰＵ１１は、まず、上段部に候補として表示する画像をどの単位にするのかの選択を受け付ける（ステップＢ１）。もし、「ＡＬＬ」が選択されると（ステップＢ２のＹＥＳ）、ＣＰＵ１１は、すべての画像を表示対象に設定する（ステップＢ３）。また、「お気に入り」が選択されると（ステップＢ２のＮＯ，ステップＢ４のＹＥＳ）、ＣＰＵ１１は、「お気に入り」アルバムに登録された画像を表示対象に設定する（ステップＢ５）。一方、「アルバム」が選択された場合（ステップＢ４のＮＯ）、ＣＰＵ１１は、さらに、アルバムの選択を受け付け（ステップＢ６）、その選択されたアルバムに登録された画像を表示対象に設定する（ステップＢ７）。
【００４５】
また、画像整理処理において、ＣＰＵ１１は、上段部の撮影画像を下段部のアルバムに移動させるようなタッチパネル操作（例えば図９の操作Ｙ）が行われたかどうかを判断し（ステップＣ１）、行われていれば（ステップＣ１のＹＥＳ）、上段部の画像を下段部のアルバムに登録する登録処理を実行する（ステップＣ２）。
【００４６】
次に、以上のような手順でアルバムに登録された撮影画像を再生するアルバム再生ビューａ１２２を含め、この再生装置１が画像再生モードａ１２時に実行する種々の撮影画像の再生形態について説明する。
【００４７】
１コマビューａ１２１では、すべての撮像画像を対象として、各撮像画像が１枚ずつ再生される。図１３は、この１コマビューａ１２１における画像表示例を示しており、左右に順送り用のオブジェクトｅ１と逆送り用のオブジェクトｅ２とが表示され、これに触れることによって１枚ずつ切り換えながら撮像画像を再生することができる。また、連続して何枚も切り換えたい場合、オブジェクトｅ３に触れて、図１４に示すオブジェクトｆ１を表示させる。そして、このオブジェクトｆ１を右回りに円を描くようになぞると、再生する撮像画像を順送りに連続的に切り換えることができる。また、同じように、このオブジェクトｆ１を左回りに円を描くようになぞると、再生する撮像画像を逆送りに連続的に切り換えることができる。
【００４８】
アルバムビューａ１２２では、まず、アルバムを選択するための画面が表示される。図１５は、このアルバム選択画面の一例を示す図であり、順送り用のオブジェクトｇ１と逆送り用のオブジェクトｇ２とを操作して、目的のアルバムを示すオブジェクトｇ３を表示させる。このオブジェクトｇ３は、アルバム名と登録された撮像画像の枚数とをテキストで表すと共に、大体の量を感覚的に把握させるために、枚数に応じて写真が積み上げられた図形を表示する。また、その一番上には、そのアルバムの代表画像を配置する。目的のアルバムがオブジェクトｇ３として表示されたら、その上を触れることにより、個々の画像の再生画面に移行することができる。以降は、前述した１コマビューａ１２１の場合と同様の流れとなる。なお、アルバム選択画面については、例えば図１６に示すように、１画面にｎ個のアルバムを表示するようにしても良い。
【００４９】
オール（サムネイル）ビューａ１２３は、例えば図１７に示すように、すべての撮像画像をいわゆるサムネイル画像に変換してｎ行×ｍ列枚ごとに表示するものであり、順送り用のオブジェクトｈ１または逆送り用のオブジェクトｈ２を操作すると、ｎ行×ｍ列枚ごとに切り換えていくことができる。図１７の例では、２行×３列の６枚毎にサムネイル画像で撮像画像を表示する。また、いずれかのサムネイル画像に触れると、その撮影画像そのものの全面表示に切り換えることができる。
【００５０】
デイトビューａ１２４は、まず、例えば図１８に示すように、１〜１２月の各月の代表画像（典型的には、撮影日付がその月で最初の撮像画像）のサムネイル画像を一覧表示して、順送り用のオブジェクトｉ１または逆送り用のオブジェクトｉ２の操作に応じて年単位の切り換えを実施する。そして、いずれかの月の代表画像に触れると、今度は、図１９に示すように、その月の撮影日付の撮像画像がサムネイル画像でｎ行×ｍ列枚ごとに表示されるので、順送り用のオブジェクトｊ１または逆送り用のオブジェクトｊ２を操作することによって、ｎ行×ｍ列枚ごとの切り換えを実施する。ここでも、サムネイル画像に触れることで撮像画像そのものの全面表示に切り換えることができる。
【００５１】
以上、詳述したように、この再生装置１では、第１に、撮影時に、撮影画像を目的のアルバムに登録するための設定を行うことを可能とし、第２に、既に撮影済みの画像を簡単な操作で目的のアルバムに登録することを可能とする。つまり、目的の画像を目的のグループに分かり易い操作で登録することを可能とする。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】この発明の実施形態に係る再生装置の外観図
【図２】同実施形態の再生装置の機器構成図
【図３】同実施形態の再生装置が提示するメニューおよびこのメニューによって形成される再生装置の主要な状態の階層関係を示す図
【図４】同実施形態の再生装置の撮影モード時におけるタッチパネル付画像表示装置の画像表示部の表示例を示す図
【図５】同実施形態の再生装置が表示する各種撮像条件設定用の設定画面を示す図
【図６】同実施形態の再生装置が撮影画像の登録先とするアルバムを設定した後に表示するスルー画を示す図
【図７】同実施形態の再生装置が撮影画像およびアルバムを管理するためのハードディスクの格納フォーマットの一例を示す図
【図８】同実施形態の再生装置がアルバム管理モード時に目的の撮影画像を選択するために表示する画面を示す図
【図９】同実施形態の再生装置が表示するアルバム登録用の画面を示す図
【図１０】同実施形態の再生装置のアルバム管理モードにおける基本的な流れを示すフローチャート
【図１１】同実施形態の再生装置が実行する上段表示画像設定処理の流れを示すフローチャート
【図１２】同実施形態の再生装置が実行する画像整理処理の流れを示すフローチャート
【図１３】同実施形態の再生装置が表示する１コマビューにおける第１の画像表示例を示す図
【図１４】同実施形態の再生装置が表示する１コマビューにおける第２の画像表示例を示す図
【図１５】同実施形態の再生装置が表示するアルバムビューにおける画像表示例を示す図
【図１６】同実施形態の再生装置が表示するアルバムビューにおける第２の画像表示例を示す図
【図１７】同実施形態の再生装置が表示するオール（サムネイル）ビューにおける画像表示例を示す図
【図１８】同実施形態の再生装置が表示するデイトビューにおける第１の画像表示例を示す図
【図１９】同実施形態の再生装置が表示するデイトビューにおける第２の画像表示例を示す図
【図２０】同実施形態の再生装置が実行する撮影時でのアルバム登録処理の流れを示すフローチャート
【符号の説明】
【００５４】
１…再生装置、２…スタンド装置、３…パーソナルコンピュータ（ＰＣ）、４…テレビジョン装置（ＴＶ）、５…ＡＣアダプタ、１１…ＣＰＵ、１２…ＲＯＭ、１３…カメラ装置、１４…画像処理部、１５…タッチパネル付画像表示装置、１６…ハードディスク、１７…検出部、１８…操作部、１９…インタフェース（ＩＦ）部、２０…音声処理部、２１…電源回路、２２…バッテリ、１０１…撮影窓、１０２…照明窓、１０３…電源ボタン、１０４…コネクタ、１０５…音声出力端子、１３１…レンズ、１３２…撮像素子、１３３…撮像部、１３４…ストロボ、１５１…画像表示部、１５２…タッチパネル、２０１…コネクタ、２０２…ＵＳＢ端子、２０３…ビデオ出力端子、２０４…ＤＣ入力端子。
【図１】
2006042171.tif 000003
【図２】
2006042171.tif 000004
【図３】
2006042171.tif 000005
【図４】
2006042171.tif 000006
【図５】
2006042171.tif 000007
【図６】
2006042171.tif 000008
【図７】
2006042171.tif 000009
【図８】
2006042171.tif 000010
【図９】
2006042171.tif 000011
【図１０】
2006042171.tif 000012
【図１１】
2006042171.tif 000013
【図１２】
2006042171.tif 000014
【図１３】
2006042171.tif 000015
【図１４】
2006042171.tif 000016
【図１５】
2006042171.tif 000017
【図１６】
2006042171.tif 000018
【図１７】
2006042171.tif 000019
【図１８】
2006042171.tif 000020
【図１９】
2006042171.tif 000021
【図２０】
2006042171.tif 000022